(57)【要約】【課題】車いす利用者にとっての利便性を向上させる。【解決手段】実施形態に係るエレベータの制御装置は、透過型ミラーを通じて映像を表示するミラー型ディスプレイをかご内に備えたエレベータの制御装置において、かご内からホール側を映すカメラの映像に基づき、ドアが戸開した際にホール側からかごに乗車してくる車いす利用者がいるか否かを判定する第１の判定手段と、前記ミラー型ディスプレイにおいて通常の映像表示を行う第１のモードと、前記ミラー型ディスプレイの少なくとも一定以上の領域を車いす利用者がミラーとして使用できるように前記通常の映像表示の形態を変える第２のモードとの間の切替えを行う表示制御手段とを具備する。前記表示制御手段は、前記第１の判定手段によりホール側からかごに乗車してくる車いす利用者がいると判定された場合、車いす専用かご内操作盤の行先階ボタンにより登録される行先階でドアが戸開する際にもしくはその前に、第１のモードから第２のモードへの切替えを行う。【選択図】図１
2018002316.tif 000002
【特許請求の範囲】
【請求項１】
透過型ミラーを通じて映像を表示するミラー型ディスプレイをかご内に備えたエレベータの制御装置において、
かご内からホール側を映すカメラの映像に基づき、ドアが戸開した際にホール側からかごに乗車してくる車いす利用者がいるか否かを判定する第１の判定手段と、
前記ミラー型ディスプレイにおいて通常の映像表示を行う第１のモードと、前記ミラー型ディスプレイの少なくとも一定以上の領域を車いす利用者がミラーとして使用できるように前記通常の映像表示の形態を変える第２のモードとの間の切替えを行う表示制御手段とを具備し、
前記表示制御手段は、前記第１の判定手段によりホール側からかごに乗車してくる車いす利用者がいると判定された場合、車いす専用かご内操作盤の行先階ボタンにより登録される行先階でドアが戸開する際にもしくはその前に、前記第１のモードから前記第２のモードへの切替えを行うことを特徴とするエレベータの制御装置。
【請求項２】
前記表示制御手段は、さらに、前記第１の判定手段によりホール側からかごに乗車してくる車いす利用者がいると判定された場合に、前記第１のモードから前記第２のモードへの切替えを行うことを特徴とする請求項１に記載のエレベータの制御装置。
【請求項３】
いずれかの階床で車いす専用乗り場ボタンが押されたことによる呼び登録があるか否かを判定する第２の判定手段をさらに具備し、
前記表示制御手段は、前記第２の判定手段によりある階床の車いす専用乗り場ボタンによる呼び登録があると判定された場合、当該階床でドアが戸開する際にもしくはその前に、前記第１のモードから前記第２のモードへの切替えを行う請求項１に記載のエレベータの制御装置。
【請求項４】
前記表示制御手段は、前記第２のモードにおいて、前記ミラー型ディスプレイが映像を表示しないように当該ミラー型ディスプレイのバックライトをオフの状態にすることを特徴とする請求項１乃至３のいずれか１項に記載のエレベータの制御装置。
【請求項５】
前記表示制御手段は、前記第２のモードにおいて、前記ミラー型ディスプレイをミラーとして使用できるように前記ミラー型ディスプレイの画面に黒色の映像を映すことを特徴とする請求項１乃至３のいずれか１項に記載のエレベータの制御装置。
【請求項６】
前記表示制御手段は、前記第２のモードにおいて、前記ミラー型ディスプレイをミラーとして使用できるように前記ミラー型ディスプレイの表示特性を設定するためのパラメータを変更して画面を暗くすることを特徴とする請求項１乃至３のいずれか１項に記載のエレベータの制御装置。
【請求項７】
前記表示制御手段は、前記第２のモードにおいて、前記ミラー型ディスプレイに映像を表示させつつもミラーとしても使用できるように前記ミラー型ディスプレイのバックライトを調光することを特徴とする請求項１乃至３のいずれか１項に記載のエレベータの制御装置。
【請求項８】
前記表示制御手段は、前記第２のモードにおいて、前記ミラー型ディスプレイの一部の領域をミラーとして使用できるように前記ミラー型ディスプレイに表示される映像の縮小化を行うことを特徴とする請求項１乃至３のいずれか１項に記載のエレベータの制御装置。
【請求項９】
前記表示制御手段は、前記第２のモードのときに、前記カメラが映すホールの映像を前記ミラー型ディスプレイの一部の領域に表示させることを特徴とする請求項１乃至３のいずれか１項に記載のエレベータの制御装置。
【請求項１０】
前記表示制御手段は、前記第２のモードのときに、車いす利用者に伝えるべき情報を前記ミラー型ディスプレイの一部の領域に表示させることを特徴とする請求項１乃至３のいずれか１項に記載のエレベータの制御装置。
【発明の詳細な説明】
【技術分野】
【０００１】
本発明の実施形態は、エレベータの制御装置に関する。
【背景技術】
【０００２】
エレベータには、かご内の人に対して案内や広告などの映像を流すディスプレイ装置を備えたものがある。また、上述したような一般的なディスプレイのほか、かご内の背面にミラー型ディスプレイを備えたものもある。
【０００３】
ミラー型ディスプレイは、透過型ミラー（ハーフミラー等）とモニター（液晶ディスプレイ等）とを合わせたものであり、ディスプレイの電源をオンにして映像再生装置から広告・案内などの映像を流せば鏡の中からその映像が浮かんで見えるような視覚効果を視聴者に与えることができ、一方、電源をオフにすれば鏡として使用することができる。
【先行技術文献】
【特許文献】
【０００４】
【特許文献１】特開２０１０−２５４４１０号公報
【発明の概要】
【発明が解決しようとする課題】
【０００５】
かご内背面に鏡が設置されているかごの場合、車いす利用者は、ホール側からかご内背面に向かって進み、進んだ向きのまま、かご内に留まり、かごから降りる際には、その状態から、目の前にあるかご内背面の鏡を見ながら（ホール側の様子や、開いたドアと車いすとの間隔を確認しながら）、ドアや人にぶつからないように後ろへ下がり、ホール側へと移動することができる。
【０００６】
このようにかご内背面にミラーが設置されている場合は、車いす利用者は鏡を利用することにより難なくかごから降りることができる。しかしながら、鏡ではなくて、ミラー型ディスプレイが設置されている場合、車いす利用者にとっては不便に感じられる。一般に、ミラー型ディスプレイは、日中、案内や広告などの映像を継続して流すため、車いす利用者がかごから降りる時に、ミラー型ディスプレイをミラーとして利用できるとは限らない。
【０００７】
本発明が解決しようとする課題は、車いす利用者にとっての利便性を向上させることができるエレベータの制御装置を提供することにある。
【課題を解決するための手段】
【０００８】
実施形態に係るエレベータの制御装置は、透過型ミラーを通じて映像を表示するミラー型ディスプレイをかご内に備えたエレベータの制御装置において、かご内からホール側を映すカメラの映像に基づき、ドアが戸開した際にホール側からかごに乗車してくる車いす利用者がいるか否かを判定する第１の判定手段と、前記ミラー型ディスプレイにおいて通常の映像表示を行う第１のモードと、前記ミラー型ディスプレイの少なくとも一定以上の領域を車いす利用者がミラーとして使用できるように前記通常の映像表示の形態を変える第２のモードとの間の切替えを行う表示制御手段とを具備する。前記表示制御手段は、前記第１の判定手段によりホール側からかごに乗車してくる車いす利用者がいると判定された場合、車いす専用かご内操作盤の行先階ボタンにより登録される行先階でドアが戸開する際にもしくはその前に、前記第１のモードから前記第２のモードへの切替えを行う。
【図面の簡単な説明】
【０００９】
【図１】本実施形態に係るエレベータのかご内を上から見た様子を示す図。
【図２】同実施形態に係るエレベータのシステム全体の構成を示すブロック図。
【図３】車いす専用かご内操作盤の一例を示す図。
【図４】車いす専用乗り場ボタンの一例を示す図。
【図５】第１の表示切替の例を示す概念図。
【図６】第２の表示切替の例を示す概念図。
【図７】第３の表示切替の例を示す概念図。
【図８】第４の表示切替の例を示す概念図。
【図９】第１の動作例を示すフローチャート。
【図１０】第２の動作例を示すフローチャート。
【図１１】第３の動作例を示すフローチャート。
【発明を実施するための形態】
【００１０】
以下、一実施形態について図面を参照して詳細に説明する。
【００１１】
図１は本実施形態に係るエレベータのかご内を上から見た様子を示す図である。また、図２は同実施形態に係るエレベータのシステム全体の構成を示すブロック図である。なお、図１及び図２において共通する要素には同一の符号を付している。
【００１２】
図１及び図２に示すように、本実施形態に係るエレベータのかごには、かご内操作盤１、車いす専用かご内操作盤２、防犯用カメラ３、ドア４、ドア制御用カメラ５、ミラー型ディスプレイ６、ドア制御装置７、映像再生装置８、ディスプレイ制御装置９、等が設けられる。また、図２に示すように、エレベータ制御装置２０が例えば昇降路内の上部に設けられる。
【００１３】
かご内操作盤１は、ドア４の近傍に設けられ、方向指示灯、行先階ボタン、ドア開閉ボタン等を備えた一般的な操作盤である。
【００１４】
車いす専用かご内操作盤２は、車いす利用者用のかご内操作盤であり、かご内操作盤１よりも低い位置に設けられる。車いす専用かご内操作盤２の一例を図３に示す。車いす専用かご内操作盤２には、一般的なかご内操作盤１と同様に、方向指示灯、行先階ボタン、ドア開閉ボタン等が備えられるほか、車いす利用者用であることを表すシンボルマークが付されている。
【００１５】
防犯用カメラ３は、防犯の目的でかご内の様子を撮影するためのカメラである。
【００１６】
ドア４は、ドア制御装置７の制御のもとで開閉する。
【００１７】
ドア制御用カメラ５は、かご内のドア４の上部に設置され、ドア４が開いてから閉じるまでの間にホール側を撮影し、ホール側からかごに乗ろうとする人の姿や動きを捉える。このドア制御用カメラ５は、主にホール側からかごに乗ろうとする人の有無を確認して人のドア挟まりを防いだり適切なドア開閉を行って無駄な停車時間を低減したりするために使用されるカメラである。
【００１８】
ミラー型ディスプレイ６は、透過型ミラー（例えば、ハーフミラー）６ａとバックライト６ｂを有する透過型液晶ディスプレイ６ｃとを備えたものである。このミラー型ディスプレイ６は、バックライト６ｂを光源にして、供給される映像を液晶ディスプレイ６ｃ及び透過型ミラー６ａを通じて表示出力する。その際、透過型ミラー６ａの中からその映像が浮かんで見えるような視覚効果を視聴者に与えることができる。
【００１９】
ドア制御装置７は、ドア４の開閉を制御するための制御装置である。
【００２０】
このドア制御装置７は、ドア制御用カメラ５により撮影される映像を解析することにより、ホール側からかごに近づく人がかごに乗ろうとしている人なのかどうかを判別する機能を備えており、かごに乗ろうとしている人を認識した場合にはドア４を開き、一方、そうでない場合にはドア４を閉じる。
【００２１】
また、ドア制御装置７は、かごに乗ろうとしている人を認識した場合、さらに映像を解析することにより、その人が車いす利用者であるか否かを判別する機能も備えている。
【００２２】
また、ドア制御装置７は、かごに乗ろうとしている人が車いす利用者であると判断した場合、その車いす利用者がかごから降車する際に（あるいはかごに乗車する際に）さらに映像を解析することにより、車いすの位置が基準となる位置から一定以上左側に寄りすぎていないか、あるいは右側に寄り過ぎていないかを判別する機能も備えている。
【００２３】
ドア制御装置７が取得したドア制御用カメラ５の映像や各種の解析結果は、エレベータ制御装置２０へ伝えられる。
【００２４】
映像再生装置８は、案内や広告などの動画情報を記録媒体から読み出して再生する装置である。再生された映像は、例えばディスプレイ制御装置９を通じて、ミラー型ディスプレイ６に供給される。なお、再生された映像は、ディスプレイ制御装置９の制御のもとで映像再生装置８からミラー型ディスプレイ６へ直接供給されるように構成してもよい。
【００２５】
ディスプレイ制御装置９は、エレベータ制御装置２０の制御のもとで、映像再生装置８から再生される映像をディスプレイ制御装置９に表示させたり、映像のディスプレイ制御装置９での表示形態を変えたり、バックライト６ｂのオン・オフや調光を行ったり、ミラー型ディスプレイ６の画面に黒色の映像を映したり、ミラー型ディスプレイ６の表示特性（輝度やコントラストなど）を設定するためのパラメータを変更して画面を暗くしたり、ミラー型ディスプレイ６にドア制御用カメラ５の映像を表示させたり、車いす利用者に伝えるべき情報を表示させたりすることができる。
【００２６】
なお、エレベータの各階のホールには、図２に示すように一般的な乗り場ボタン１１が設けられるほか、車いす専用乗り場ボタン１２が設けられる。車いす専用乗り場ボタン１２の一例を図４に示す。車いす専用乗り場ボタン１２には、一般的な乗り場ボタン１１と同様に、「昇」・「降」の呼び登録ボタンが備えられるほか、車いす利用者用であることを表すシンボルマークが付されている。
【００２７】
エレベータ制御装置２０は、各種の機能として、車いす利用者乗車判定部２１、車いす利用者呼び判定部２２、表示制御部２３等を備えるほか、記憶媒体としての記憶部３０を備えている。
【００２８】
車いす利用者乗車判定部２１は、ドア制御装置７から送られてくるドア制御用カメラ５の映像の解析結果に基づき、ドア４が戸開した際にホール側からかごに乗車してくる車いす利用者がいるか否かを判定する機能である。
【００２９】
車いす利用者呼び判定部２２は、いずれかの階床で車いす専用乗り場ボタン１２が押されたことによる呼び登録があるか否かを判定する機能である。
【００３０】
表示制御部２３は、ディスプレイ制御装置９を通じてミラー型ディスプレイ６の表示を制御する機能である。
【００３１】
記憶部３０は、車いす利用者乗車判定部２１、車いす利用者呼び判定部２２、表示制御部２３の各部で使用される情報や処理の結果を格納する記憶媒体である。
【００３２】
前述した表示制御部２３は、ミラー型ディスプレイ６において通常の映像表示を行う第１のモード（以下、「映像表示モード」と称す。）と、ミラー型ディスプレイ６の少なくとも一定以上の領域を車いす利用者がミラーとして使用できるように通常の映像表示の形態を変える第２のモード（以下、「ミラーモード」と称す。）との間の切替えをディスプレイ制御装置９に指示する機能を備えている。
【００３３】
より具体的には、表示制御部２３は、以下に示すような各種のモード切替機能を備えている。なお、これらのモード切替機能はディスプレイ制御装置９が備えていてもよい。
【００３４】
・モード切替機能Ａ
モード切替機能Ａは、車いす利用者乗車判定部２１によりホール側からかごに乗車してくる車いす利用者がいると判定された場合、車いす専用かご内操作盤２の行先階ボタンにより登録される行先階でドア４が戸開する際にもしくはその前に、映像表示モードからミラーモードへの切替えを行う機能である。
【００３５】
この機能により、車いす利用者は、かごから降りる際に、かご内においてミラー型ディスプレイ６のある方を向いた状態から、向きを変えずに、当該ミラー型ディスプレイ６のミラーを見ながら（ホール側の様子や、開いたドアと車いすとの間隔を確認しながら）、ドアや人にぶつからないように後ろへ下がり、ホール側へと移動することができる。
【００３６】
・モード切替機能Ｂ
モード切替機能Ｂは、車いす利用者乗車判定部２１によりホール側からかごに乗車してくる車いす利用者がいると判定された場合、即座に、映像表示モードからミラーモードへの切替えを行う機能である。
【００３７】
この機能により、車いす利用者は、かごに乗る際に、ミラー型ディスプレイ６のミラーを見ながら（ホール側の様子や、開いたドアと車いすとの間隔を確認しながら）、ドアや人にぶつからないように前へ進み、かご内へと移動することができる。
【００３８】
ただし、このモード切替機能Ｂは必須の要素ではない。例えばエレベータの管理者が当該機能の搭載を望む場合には搭載し、望まない場合には搭載しないものとする。
【００３９】
・モード切替機能Ｃ
モード切替機能Ｃは、車いす利用者呼び判定部２２によりある階床の車いす専用乗り場ボタン１２による呼び登録があると判定された場合、当該階床でドア４が戸開する際にもしくはその前に、映像表示モードからミラーモードへの切替えを行う機能である。
【００４０】
このモード切替機能Ｃは、前述のモード切替機能Ｂの代替として使用することができる。例えば前述のモード切替機能Ｂにおいては、ドア４が戸開した後でなければ、かごに乗車しようとする車いす利用者がいることの認識およびミラーモードへの切替えを行うことができないため、車いす利用者はドア４の戸開開始の時点からミラー型ディスプレイ６をミラーとして使用することはできない。これに対し、モード切替機能Ｃによれば、車いす専用乗り場ボタン１２による呼び登録があった時点で、かごに乗車しようとする車いす利用者がいることを認識できるため、ドア４が戸開する時点もしくはその前からミラーモードへの切替えを行うことができ、車いす利用者はドア４の戸開開始の時点からミラー型ディスプレイ６をミラーとして使用することができる。
【００４１】
ただし、このモード切替機能Ｃは必須の要素ではない。例えばエレベータの管理者が当該機能の搭載を望む場合には搭載し、望まない場合には搭載しないものとする。
【００４２】
次に、図５乃至図８を参照して、上述した各種モード切替機能によるミラー型ディスプレイ６の表示切替の例について説明する。
【００４３】
・第１の表示切替の例
図５に、第１の表示切替の例を示す。表示制御部２３は、映像表示モードにおいては、ミラー型ディスプレイ６が全領域でサイネージ等の映像の表示を行えるようにバックライト６ｂをオンの状態にしているが、ミラーモードにおいては、ミラー型ディスプレイ６が映像を表示しないように当該ミラー型ディスプレイ６のバックライト６ｂをオフの状態にする。
【００４４】
第１の表示切替の例によれば、車いす利用者は、ミラーモードにおいてミラー型ディスプレイ６の全領域をミラーとして使用することができる。
【００４５】
なお、上述した第１の表示切替の例では、ミラーモードを実現するために、バックライト６ｂをオフの状態にする場合の例を示したが、ミラーモードはバックライト６ｂをオフの状態にせずとも実現することが可能である。そのためには、例えば、ミラー型ディスプレイ６をミラーとして使用できるようにミラー型ディスプレイ６の画面に黒色の映像を映すようにしてもよいし、あるいは、ミラー型ディスプレイ６をミラーとして使用できるようにミラー型ディスプレイ６の表示特性（ディスプレイの輝度やコントラストなど）を設定するためのパラメータを変更して画面を暗くする（例えば、輝度のレベルを０に設定する、あるいは白色に対する黒色の比率が最大となるようコントラストを設定する）ようにしてもよい。
【００４６】
・第２の表示切替の例
図６に、第２の表示切替の例を示す。表示制御部２３は、映像表示モードにおいては、ミラー型ディスプレイ６が全領域でサイネージ等の映像の表示を行うようにバックライト６ｂをオンの状態にしているが、ミラーモードにおいては、ミラー型ディスプレイ６に映像を表示させつつもミラーとしても使用できるようにミラー型ディスプレイ６のバックライト６ｂを調光する（すなわち、バックライト６ｂをオフにするのではなく、明るさを予め定めた値まで低下させる）。
【００４７】
第２の表示切替の例によれば、車いす利用者は、ミラーモードにおいてミラー型ディスプレイ６の全領域をミラーとして使用することができるとともに、車いす利用者以外の人がかご内にいる場合、車いす利用者以外の人は、ミラー型ディスプレイ６の全領域にてサイネージ等の映像を継続して見ることができる。
【００４８】
・第３の表示切替の例
図７に、第３の表示切替の例を示す。表示制御部２３は、映像表示モードにおいては、ミラー型ディスプレイ６が全領域でサイネージ等の映像の表示を行うようにしているが、ミラーモードにおいては、ミラー型ディスプレイ６の一部の領域をミラーとして使用できるようにミラー型ディスプレイ６に表示される映像の縮小化を行う。
【００４９】
第３の表示切替の例によれば、車いす利用者は、ミラーモードにおいてミラー型ディスプレイ６の一部の領域（例えば、下半分の領域）をミラーとして使用することができるとともに、車いす利用者以外の人がかご内にいる場合、車いす利用者以外の人は、ミラー型ディスプレイ６の一部の領域（例えば、上半分の領域）にて縮小化されたサイネージ等の映像を継続して見ることができる。ミラーモードに切り替わった際、ミラー・映像ともにサイズが小さくなるものの、前述した第２の表示切替の例に比べ、ミラー型ディスプレイ６が持っている本来の良好な品質のミラー・映像を活かすことができる。
【００５０】
・第４の表示切替の例
図８に、第４の表示切替の例を示す。表示制御部２３は、映像表示モードにおいては、ミラー型ディスプレイ６が全領域でサイネージ等の映像の表示を行うようにしているが、ミラーモードにおいては、サイネージ等の映像に代え、ドア制御用カメラ５が映すホールの映像をミラー型ディスプレイ６の一部の領域に表示させ、さらに映像の表示されないミラーの領域の一部に、車いす利用者に伝えるべきメッセージや誘導情報を表示させるようにしてもよい。
【００５１】
メッセージの例としては、例えば「ホール側にいる人にぶつからないよう十分ご注意ください」等が挙げられる。誘導情報の例としては、例えば「→」や「←」等、車いす利用者を誘導させるべき方向を示す情報が挙げられる。例えば、前述したようにドア制御装置７が、車いす利用者がかごから降車する際に（あるいはかごに乗車する際に）、ドア制御用カメラ５を通じて映像を解析し、車いすの位置が基準となる位置から一定以上左側に寄りすぎていると判断した場合には、誘導情報として「→」を表示させ、一方、右に寄りすぎていると判断した場合には、誘導情報として「←」を表示させる。
【００５２】
第４の表示切替の例によれば、車いす利用者は、かごから降車する際に（あるいはかごに乗車する際に）、ミラーだけでなくドア制御用カメラ５が映すホールの映像をも見ることができるため、車いす利用者に安心感を与えることができる。同時に、ミラーの領域の一部にメッセージや誘導情報を表示させることにより、車いす利用者に注意を喚起したり、車いす利用者を適切な方向へと導いたりすることができ、安全性を一層高めることができる。
【００５３】
次に、図９乃至図１１を参照して、本実施形態によるモード切替の動作例について説明する。
【００５４】
・第１の動作例
最初に、図９を参照して、第１の動作例について説明する。第１の動作例では、前述したモード切替機能Ａ，Ｂ，Ｃのうち、モード切替機能Ａのみを使用し、モード切替機能Ｂ，Ｃは使用しないものとする。
【００５５】
いま、エレベータ制御装置２０は、ディスプレイ制御装置９を通じて、ミラー型ディスプレイ６を映像表示モードに設定している（ステップＳ１１）。このとき、ディスプレイ制御装置９は、映像再生装置８から再生される映像をミラー型ディスプレイ６に供給しており、ディスプレイ制御装置９からは当該映像が表示出力されている。
【００５６】
ドア制御装置７は、ドア４が戸開する際には、ドア制御用カメラ５で撮影されるホール側の映像を解析することにより、乗車してくる車いす利用者がいるか否かを調べ（ステップＳ１３）、その解析結果をエレベータ制御装置２０に伝える。
【００５７】
エレベータ制御装置２０は、ドア制御装置７から送られてくるドア制御用カメラ５の映像の解析結果に基づき、ドア４が戸開した際にホール側からかごに乗車してくる車いす利用者がいるか否かを判定する（ステップＳ１３）。
【００５８】
エレベータ制御装置２０は、かごに乗車してくる車いす利用者がいないと判定した場合は（ステップＳ１３のＮＯ）、ステップＳ１１からの処理を繰り返し、一方、かごに乗車してくる車いす利用者がいると判定した場合（ステップＳ１３のＹＥＳ）、次に、車いす専用かご内操作盤２の行先階ボタンによる呼び登録があるかを確認する（ステップＳ１４）。
【００５９】
エレベータ制御装置２０は、車いす専用かご内操作盤２の行先階ボタンによる呼び登録があることを確認すると（ステップＳ１４のＹＥＳ）、かごが登録された行先階に到着する少し前の所定の位置を通過した時点で、映像表示モードからミラーモードへの切替えを行う（ステップＳ１５）。これにより、かごから降りようとしている車いす利用者は、ミラー型ディスプレイ６の少なくとも一定以上の領域をミラーとして使用できるようになる。
【００６０】
ドア４が開き、車いす利用者がかごから降りた後、エレベータ制御装置２０は、例えばドア４が戸閉を開始するタイミングで、ミラーモードから映像表示モードへの切替えを行い（ステップＳ１６）、ステップＳ１１からの処理を繰り返す。
【００６１】
この第１の動作例によれば、車いす利用者がかごから降りる時には、ミラー型ディスプレイをミラーとして利用できる状態となるため、車いす利用者は不便を感じることなく、難なくかごから降りることができる。
【００６２】
・第２の動作例
次に、図１０を参照して、第２の動作例について説明する。なお、前述した第１の動作例と共通するステップには同一の符号を付し、重複する説明を省略する。
【００６３】
第２の動作例では、前述したモード切替機能Ａ，Ｂ，Ｃのうち、モード切替機能Ａ，Ｂを使用し、モード切替機能Ｃは使用しないものとする。
【００６４】
ステップＳ１１〜Ｓ１３の処理については、既に説明した通りである。エレベータ制御装置２０は、ステップＳ１３において、かごに乗車してくる車いす利用者がいると判定した場合（ステップＳ１３のＹＥＳ）、即座に、映像表示モードからミラーモードへの切替えを行う（ステップＳ２１）。これにより、かごに乗ろうとしている車いす利用者は、ミラー型ディスプレイ６の少なくとも一定以上の領域をミラーとして使用できるようになる。
【００６５】
車いす利用者がかごに乗った後、エレベータ制御装置２０は、例えばドア４が戸閉を開始するタイミングで、ミラーモードから映像表示モードへの切替えを行い（ステップＳ２２）、ステップＳ１４以降の処理へと進む。
【００６６】
この第２の動作例によれば、車いす利用者がかごから降りる時だけでなく、かごに乗る時にも、ミラー型ディスプレイをミラーとして利用できる状態となるため、車いす利用者にとっての利便性をより一層高めることができる。
【００６７】
・第３の動作例
次に、図１１を参照して、第３の動作例について説明する。なお、前述した第１の動作例と共通するステップには同一の符号を付し、重複する説明を省略する。
【００６８】
第３の動作例では、前述したモード切替機能Ａ，Ｂ，Ｃのうち、モード切替機能Ａ，Ｃを使用し、モード切替機能Ｂは使用しないものとする。
【００６９】
エレベータ制御装置２０は、ステップＳ１１においてミラー型ディスプレイ６を映像表示モードにしている間、いずれかの階床で車いす専用乗り場ボタン１２による呼び登録があるか否かを監視している（ステップＳ３１）。
【００７０】
エレベータ制御装置２０は、車いす利用者呼び判定部２２によりある階床の車いす専用乗り場ボタン１２による呼び登録があった場合（ステップＳ３１のＹＥＳ）、例えば当該階床でドア４が戸開を開始するタイミングで、映像表示モードからミラーモードへの切替えを行う（ステップＳ３２）。これにより、かごに乗ろうとしている車いす利用者は、ミラー型ディスプレイ６の少なくとも一定以上の領域をミラーとして使用できるようになる。
【００７１】
車いす利用者がかごに乗った後、エレベータ制御装置２０は、例えばドア４が戸閉を開始するタイミングで、ミラーモードから映像表示モードへの切替えを行い（ステップＳ３３）、ステップＳ１４以降の処理へと進む。
【００７２】
この第３の動作例によれば、車いす専用乗り場ボタン１２による呼び登録があった時点で、かごに乗車しようとする車いす利用者がいることを認識できるため、ドア４が戸開する時点もしくはその前からミラーモードへの切替えを行うことができる。これにより、車いす利用者はドア４の戸開開始の時点からミラー型ディスプレイ６をミラーとして使用できる状態となるため、車いす利用者にとっての利便性をより一層高めることができる。
【００７３】
以上詳述したように、実施形態によれば、車いす利用者にとっての利便性を向上させることができる。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１…かご内操作盤、２…車いす専用かご内操作盤、３…防犯カメラ、４…ドア、５…ドア制御用カメラ、６…ミラー型ディスプレイ、７…ドア制御装置、８…映像再生装置、９…ディスプレイ制御装置、１１…乗り場ボタン、１２…車いす専用乗り場ボタン、２１…車いす利用者乗車判定部、２２…車いす利用者呼び判定部、２３…表示制御部、３０…記憶部。
【図１】
2018002316.tif 000003
【図２】
2018002316.tif 000004
【図３】
2018002316.tif 000005
【図４】
2018002316.tif 000006
【図５】
2018002316.tif 000007
【図６】
2018002316.tif 000008
【図７】
2018002316.tif 000009
【図８】
2018002316.tif 000010
【図９】
2018002316.tif 000011
【図１０】
2018002316.tif 000012
【図１１】
2018002316.tif 000013